(57)【特許請求の範囲】
【請求項１】
ベース体と、
ラックギヤが形成されて前記ベース体に取り付けられるレール部と、
前記ラックギヤに噛合する動作ギヤを有し、前記動作ギヤの回転を伴って前記ラックギヤに沿って駆動される第１動作部と、
前記第１動作部に取り付けられ、前記動作ギヤの回転に伴って所定の演出動作を行う第２動作部と、
前記動作ギヤが前記ラックギヤの所定位置に位置するときに前記第２動作部が所定演出状態となるよう前記レール部と前記第１動作部と前記第２動作部とを組み付けた状態で保持する組付保持部と、
を備え、
前記レール部は、前記組付保持部と前記第１動作部との間に挟まれた状態で前記ベース体に取り付けられる、
ことを特徴とする遊技機。
【請求項２】
前記第１動作部と前記第２動作部は、一方に第１の磁石が設けられるとともに他方に第２の磁石又は磁性体が設けられ、前記第１の磁石と前記第２の磁石又は磁性体とにより前記第１動作部に対して前記第２動作部を取り付けるときの位置決め位置に付勢されていることを特徴とする請求項１に記載の遊技機。
【発明の詳細な説明】
【技術分野】
【０００１】
本発明は、パチンコ遊技機やスロットマシン等の遊技機に関する。
【背景技術】
【０００２】
遊技機の一例として、遊技球などの遊技媒体を発射装置によって遊技領域に発射し、遊技領域に設けられている入賞口などの入賞領域に遊技媒体が入賞したことに基づいて、所定の遊技価値を付与可能としたパチンコ遊技機がある。また、遊技機の他の一例として、メダルやコイン、あるいは、パチンコ遊技機と同様の遊技球といった遊技媒体を用いて１ゲームに対する所定数の賭数を設定した後、遊技者がスタートレバーを操作することにより可変表示装置による表示図柄の可変表示を開始し、導出された表示結果に基づいて所定の遊技価値を付与可能としたスロットマシンがある。
【０００３】
こうした遊技機では、遊技者をより楽しませるために、例えば盤面に演出用の可動機構が設けられるものがある。可動機構としては、アームの一端にモータの出力軸が取り付けられてモータの出力によりアームが回動するとともに、アームの回動に伴ってピニオンギヤが回転し、ピニオンギヤの回転に伴ってアームの他端に設けられた回転演出体が回転するものが提案されている（例えば、特許文献１参照）。また、モータの出力によりベース部材が待機位置と作動位置との間を移動するとともに、ベース部材の移動に伴って伝達ギヤが回転し、伝達ギヤの回転に伴ってベース部材に対して演出部材が変位するものも提案されている（例えば、特許文献２参照）。
【先行技術文献】
【特許文献】
【０００４】
【特許文献１】特開２０１１−２２９６８５号公報
【特許文献２】特開２００７−３１９３７６号公報
【発明の概要】
【発明が解決しようとする課題】
【０００５】
こうした遊技機本体に対して第１動作部が駆動されるとともに第１動作部の動作に伴って第２動作部が動作するものでは、例えば特許文献２に記載の遊技機においてベース部材が待機位置に位置するときに演出部材も初期位置に位置するように、それぞれに位置決めが必要とされる場合がある。この場合、第１動作部と第２動作部と遊技機本体とが互いに位置合わせされて組立てられる必要があるが、特許文献１や特許文献２に記載の遊技機では、第１動作部と第２動作部の位置合わせをしつつ第１動作部と第２動作部を遊技機本体に対して位置合わせして取り付ける必要があり、組み立て作業が困難であった。
【０００６】
この発明は、上記実状に鑑みてなされたものであり、ベース体に対して第１動作部が駆動されるとともに第１動作部の動作に伴って第２動作部が動作する遊技機の組み立て作業を容易にすることを目的とする。
【課題を解決するための手段】
【０００７】
（１）  上記目的を達成するため、本発明に係る遊技機は、ベース体（例えば、ベース体６１、７１など）と、ラックギヤが形成されて前記ベース体に取り付けられるレール部（例えば、ラックギヤ６２ａ、７２ａが形成されているレール６２、７２など）と、前記ラックギヤに噛合する動作ギヤ（例えば、ラックギヤ６２ａと噛合する第１ギヤ６３Ａ及び第２ギヤ６３Ｂ（動作ギヤ６３）や、ラックギヤ７２ａと噛合する動作ギヤ７３など）を有し、前記動作ギヤの回転を伴って前記ラックギヤに沿って駆動される第１動作部（例えば、動作ギヤ６３、７３の回転を伴ってレール６２、７２に沿って移動する装飾支持体６６、７６など）と、前記第１動作部に取り付けられ、前記動作ギヤの回転に伴って所定の演出動作を行う第２動作部（例えば、動作ギヤ６３、７３の回転に伴って回転する第１装飾体６４、第３装飾体７５など）と、前記動作ギヤが前記ラックギヤの所定位置に位置するときに前記第２動作部が所定演出状態となるよう前記レール部と前記第１動作部と前記第２動作部とを組み付けた状態で保持する組付保持部と（例えば、装飾支持体６６、７６が進出位置に位置するときに第１装飾体６４、第３装飾体７５が初期回転姿勢となるようレール６２、７２と第１装飾体６４、第３装飾体７５と装飾支持体６６、７６とを組み付けた状態で保持しベース体６１、７１に取り付けられる可動機構ケース６７、７７など）、を備え、前記レール部は、前記組付保持部と前記第１動作部との間に挟まれた状態で前記ベース体に取り付けられる（例えば、レール６２、７２が単独でベース体６１、７１に取付けられているときには可動機構ケース６７、７７を取付けることができず、レール６２、７２が取付けられていないときには、レール６２、７２と装飾支持体６６、７６と第１装飾体６４、第３装飾体７５とを組み付けた状態で可動機構ケース６７、７７を取り付けることができるなど）、ことを特徴とする。
【０００８】
このような構成によれば、レール部と第１動作部と第２動作部とを予め組み付けてからベース体に取り付けることができ、遊技機の組み立て作業を容易に行うことができる。
ここで、第２動作部が行う「所定の演出動作」には、第２動作部が遊技者などに視認できる状態と視認できない状態とに変更される動作が含まれてもよい。
【０００９】
（２）  上記（１）の遊技機において、前記第１動作部と前記第２動作部は、一方に第１の磁石が設けられるとともに他方に第２の磁石又は磁性体が設けられ、前記第１の磁石と前記第２の磁石又は磁性体とにより前記第１動作部に対して前記第２動作部を取り付けるときの位置決め位置に付勢されてもよい（例えば、第１装飾体６４、第３装飾体７５に磁石６４ｃ、７５ｃが設けられるとともに装飾支持体６６、７６に磁石６６ｅが設けられて第１装飾体６４、第３装飾体７５が初期回転姿勢に付勢されるなど）。
【００１０】
このような構成によれば、第１動作部と第２動作部が第１の磁石と第２の磁石又は磁性体とによって位置決め位置に付勢されるので、レール部と第１動作部と第２動作部と組付保持部とを容易に組み付けることができる。
【００１１】
（３）  上記（１）又は（２）の遊技機において、前記第１動作部には、前記第２動作部に光を照射する発光部が設けられ（例えば、第１装飾体６４、第３装飾体７５に光を照射するＬＥＤや駆動回路が装飾支持体６６に設けられなど）、前記第２動作部には、前記発光部から照射された光を拡散する光拡散部が設けられてもよい（例えば、照射された光を拡散するレンズが第１装飾体６４、第３装飾体７５に設けられるなど）。
【００１２】
このような構成によれば、第２動作部を発光させて第２動作部の視認性を向上させることができる。また、第２動作部に光を照射する発光部が第１動作部に設けられるので、発光部を容易に設置することができる。
【００１３】
（４）  上記（１）〜（３）の何れか１つの遊技機において、前記レール部は、該レール部に形成されている固着部を介して固着手段により前記ベース体に取り付けられ（例えば、レール６２、７２の取付孔６２ｂ、７２ｂにビスなどの固定部材を挿通させてレール６２、７２をベース体６１、７１に取り付けるなど）、前記固着部は、前記第１動作部が前記レール部に対して第１位置に位置するときには前記第１動作部と前記第２動作部と前記組付保持部の少なくとも１つに前面を覆われ、前記第１動作部が前記レール部に対して前記第１位置と異なる第２位置に位置するときには前面を覆われず（例えば、レール６２、７２の取付孔６２ｂ、７２ｂが、装飾支持体６６、７６が進出位置に位置するときには装飾支持体６６、７６によって前面を覆われず、装飾支持体６６、７６が退出位置に位置するときには前面を覆われるなど）、前記レール部と前記第１動作部と前記第２動作部と前記組付保持部は、前記第１動作部が前記レール部に対して前記第２位置に位置する状態で前記ベース体に一体に取り付けられてもよい（例えば、装飾支持体６６、７６が進出位置に位置する状態で、レール６２、７２と第１装飾体６４、第３装飾体７５と装飾支持体６６、７６と可動機構ケース６７、７７がベース体６１、７１に一体に取付けられるなど）。
【００１４】
このような構成によれば、第１動作部がレール部に対して第２位置に位置するときには、第１動作部と第２動作部と組付保持部の少なくとも１つによりレール部の固着部の前面が覆われるので、固着部が目立つのを抑制して遊技機の見栄えを向上させることができる。
【図面の簡単な説明】
【００１５】
【図１】この実施の形態におけるパチンコ遊技機の正面図である。
【図２】内側フレームと第１演出可動機構と第２演出可動機構との分解斜視図である。
【図３】内側フレームのワープ出口近傍を示す正面図である。
【図４】内側フレームのワープ出口近傍を示す斜視図である。
【図５】内側フレームのワープ出口近傍を分解して示す図である。
【図６】第１演出可動機構の構成の概要を示す図である。
【図７】第１演出可動機構を構成要素ごとに分解して後方から示す図である。
【図８】（ａ）は、可動機構ケースを用いたレールや装飾支持体などの組み付けを説明するための図であり、（ｂ）は、可動機構ケースやレール、装飾支持体を組み付けて後方から示す図である。
【図９】第１演出可動機構の動作を説明するための模式図であり、（ａ）は前方から見た図、（ｂ）は後方から見た図である。
【図１０】第１演出可動機構の動作を説明するための模式図であり、（ａ）は前方から見た図、（ｂ）は後方から見た図である。
【図１１】装飾支持体が退出位置にあるときの内側フレームや第１演出可動機構、第２演出可動機構を示す図である。
【図１２】（ａ）は、動作シンボルが初期位置に位置するときの第２演出可動機構を示す正面図であり、（ｂ）は、動作シンボルが下方に移動したときの第２演出可動機構を示す正面図である。
【図１３】第２演出可動機構の動作シンボルとガイド機構と固定シンボルとフレーム体とを分解して示す図である。
【図１４】第２演出可動機構の動作を説明する図である。
【図１５】第１の変形例の可動機構の構成を模式的に示す図であり、（ａ）は、装飾支持体が退出位置に位置するとき、（ｂ）は、装飾支持体が進出位置に位置するときの図である。
【図１６】第２の変形例の可動機構の構成を模式的に示す図であり、（ａ）は、装飾支持体が退出位置に位置するとき、（ｂ）は、装飾支持体が進出位置に位置するときの図である。
【図１７】変形例の可動機構を示す側断面図である。
【発明を実施するための形態】
【００１６】
以下、図面を参照しつつ、本発明の一実施形態を詳細に説明する。図１は、本実施の形態におけるパチンコ遊技機の正面図であり、主要部材の配置レイアウトを示す。パチンコ遊技機（遊技機）１は、大別して、遊技盤面を構成する遊技盤（ゲージ盤）２と、遊技盤２を支持固定する遊技機用枠（台枠）３とから構成されている。遊技盤２には、ガイドレールによって囲まれた、外縁をほぼ円形状とする遊技領域が形成されている。この遊技領域には、遊技媒体としての遊技球が、所定の打球発射装置から発射されて打ち込まれる。
【００１７】
遊技盤２の所定位置（図１に示す例では、遊技領域の右下の縁上）には、第１特別図柄表示装置４Ａと、第２特別図柄表示装置４Ｂとが設けられている。第１特別図柄表示装置４Ａと第２特別図柄表示装置４Ｂはそれぞれ、例えば７セグメントやドットマトリクスのＬＥＤ（発光ダイオード）等から構成され、可変表示ゲームの一例となる特図ゲームにおいて、各々を識別可能な複数種類の識別情報（特別識別情報）である特別図柄（「特図」ともいう）が、変動可能に表示（可変表示）される。例えば、第１特別図柄表示装置４Ａと第２特別図柄表示装置４Ｂはそれぞれ、「０」〜「９」を示す数字や「−」を示す記号等から構成される複数種類の特別図柄を可変表示する。なお、第１特別図柄表示装置４Ａや第２特別図柄表示装置４Ｂにおいて表示される特別図柄は、「０」〜「９」を示す数字や「−」を示す記号等から構成されるものに限定されず、例えば７セグメントのＬＥＤにおいて点灯させるものと消灯させるものとの組合せを異ならせた複数種類の点灯パターンが、複数種類の特別図柄として予め設定されていればよい。
【００１８】
複数種類の特別図柄には、それぞれに対応した図柄番号が付されている。一例として、「０」〜「９」を示す数字それぞれには、「０」〜「９」の図柄番号が付され、「−」を示す記号には、「１０」の図柄番号が付されていればよい。以下では、第１特別図柄表示装置４Ａにおいて可変表示される特別図柄を「第１特図」ともいい、第２特別図柄表示装置４Ｂにおいて可変表示される特別図柄を「第２特図」ともいう。
【００１９】
第１特別図柄表示装置４Ａと第２特別図柄表示装置４Ｂはともに、例えば方形状に形成されている。なお、第１特図の種類と第２特図の種類は同じ（例えば、ともに「０」〜「９」を示す数字、及び、「−」を示す記号）であってもよいし、種類が異なっていてもよい。また、第１特別図柄表示装置４Ａと第２特別図柄表示装置４Ｂはそれぞれ、例えば「００」〜「９９」を示す数字（あるいは２桁の記号）を可変表示するように構成されていてもよい。
【００２０】
遊技盤２における遊技領域の中央付近には、画像表示装置５が設けられている。画像表示装置５は、例えばＬＣＤ（液晶表示装置）等から構成され、各種の演出画像を表示する表示領域を形成している。画像表示装置５の表示領域では、特図ゲームにおける第１特別図柄表示装置４Ａによる第１特図の可変表示や第２特別図柄表示装置４Ｂによる第２特図の可変表示のそれぞれに対応して、例えば３つといった複数の可変表示部となる飾り図柄表示エリアにて、各々を識別可能な複数種類の識別情報（装飾識別情報）である飾り図柄が可変表示される。この飾り図柄の可変表示も、可変表示ゲームに含まれる。
【００２１】
一例として、画像表示装置５の表示領域には、「左」、「中」、「右」の飾り図柄表示エリア５Ｌ、５Ｃ、５Ｒが配置されている。そして、特図ゲームにおいて第１特別図柄表示装置４Ａにおける第１特図の変動と第２特別図柄表示装置４Ｂにおける第２特図の変動のうち、いずれかが開始されることに対応して、「左」、「中」、「右」の各飾り図柄表示エリア５Ｌ、５Ｃ、５Ｒにおいて飾り図柄の変動（例えば上下方向のスクロール表示）が開始される。その後、特図ゲームにおける可変表示結果として確定特別図柄が停止表示されるときに、画像表示装置５における「左」、「中」、「右」の各飾り図柄表示エリア５Ｌ、５Ｃ、５Ｒにて、飾り図柄の可変表示結果となる確定飾り図柄（最終停止図柄）が停止表示される。
【００２２】
このように、画像表示装置５の表示領域では、第１特別図柄表示装置４Ａにおける第１特図を用いた特図ゲーム、または、第２特別図柄表示装置４Ｂにおける第２特図を用いた特図ゲームと同期して、各々が識別可能な複数種類の飾り図柄の可変表示を行い、可変表示結果となる確定飾り図柄を導出表示（あるいは単に「導出」ともいう）する。なお、例えば特別図柄や飾り図柄といった、各種の表示図柄を導出表示するとは、飾り図柄等の識別情報を停止表示（完全停止表示や最終停止表示ともいう）して可変表示を終了させることである。これに対して、飾り図柄の可変表示を開始してから可変表示結果となる確定飾り図柄が導出表示されるまでの可変表示中には、飾り図柄の変動速度が「０」となって、飾り図柄が停留して表示され、例えば微少な揺れや伸縮などを生じさせる表示状態となることがある。このような表示状態は、仮停止表示ともいい、可変表示における表示結果が確定的に表示されていないものの、スクロール表示や更新表示による飾り図柄の変動が進行していないことを遊技者が認識可能となる。なお、仮停止表示には、微少な揺れや伸縮なども生じさせず、所定時間（例えば１秒間）よりも短い時間だけ、飾り図柄を完全停止表示することなどが含まれてもよい。
【００２３】
「左」、「中」、「右」の各飾り図柄表示エリア５Ｌ、５Ｃ、５Ｒにて可変表示される飾り図柄には、例えば８種類の図柄（英数字「１」〜「８」あるいは漢数字や、英文字、所定のモチーフに関連する８個のキャラクタ画像、数字や文字あるいは記号とキャラクタ画像との組合せなどであればよく、キャラクタ画像は、例えば人物や動物、これら以外の物体、もしくは、文字などの記号、あるいは、その他の任意の図形を示す飾り画像であればよい）で構成される。飾り図柄のそれぞれには、対応する図柄番号が付されている。例えば、「１」〜「８」を示す英数字それぞれに対して、「１」〜「８」の図柄番号が付されている。なお、飾り図柄は８種類に限定されず、大当り組合せやハズレとなる組合せなど適当な数の組合せを構成可能であれば、何種類であってもよい（例えば７種類や９種類など）。
【００２４】
飾り図柄の可変表示が開始された後、可変表示結果となる確定飾り図柄が導出表示されるまでには、「左」、「中」、「右」の各飾り図柄表示エリア５Ｌ、５Ｃ、５Ｒにおいて、例えば図柄番号が小さいものから大きいものへと順次に上方から下方へと流れるようなスクロール表示が行われ、図柄番号が最大（例えば「８」）である飾り図柄が表示されると、続いて図柄番号が最小（例えば「１」）である飾り図柄が表示される。あるいは、飾り図柄表示エリア５Ｌ、５Ｃ、５Ｒのうち少なくともいずれか１つ（例えば「左」の飾り図柄表示エリア５Ｌなど）において、図柄番号が大きいものから小さいものへとスクロール表示を行って、図柄番号が最小である飾り図柄が表示されると、続いて図柄番号が最大である飾り図柄が表示されるようにしてもよい。
【００２５】
画像表示装置５の表示領域には、始動入賞記憶表示エリア５Ｈが配置されている。始動入賞記憶表示エリア５Ｈでは、特図ゲームに対応した可変表示の保留数（特図保留記憶数）を特定可能に表示する保留記憶表示が行われる。ここで、特図ゲームに対応した可変表示の保留は、普通入賞球装置６Ａが形成する第１始動入賞口や、普通可変入賞球装置６Ｂが形成する第２始動入賞口を、遊技球が通過（進入）することによる始動入賞に基づいて発生する。すなわち、特図ゲームや飾り図柄の可変表示といった可変表示ゲームを実行するための始動条件（「実行条件」ともいう）は成立したが、先に成立した開始条件に基づく可変表示ゲームが実行中であることやパチンコ遊技機１が大当り遊技状態に制御されていることなどにより、可変表示ゲームの開始を許容する開始条件が成立していないときに、成立した始動条件に対応する可変表示の保留が行われる。
【００２６】
図１に示す例では、始動入賞記憶表示エリア５Ｈとともに、第１特別図柄表示装置４Ａ及び第２特別図柄表示装置４Ｂの下部に、特図保留記憶数を特定可能に表示するための第１保留表示器２５Ａと第２保留表示器２５Ｂとが設けられている。第１保留表示器２５Ａは、第１特図保留記憶数を特定可能に表示する。第２保留表示器２５Ｂは、第２特図保留記憶数を特定可能に表示する。第１特図保留記憶数は、第１特図を用いた特図ゲームの実行が保留されている記憶数である。第２特図保留記憶数は、第２特図を用いた特図ゲームの実行が保留されている記憶数である。第１特図保留記憶数と第２特図保留記憶数とを加算した可変表示の保留記憶数は、特に、合計保留記憶数ともいう。単に「特図保留記憶数」というときには、通常、第１特図保留記憶数、第２特図保留記憶数及び合計保留記憶数のいずれも含む概念を指すが、特に、これらの一部（例えば第１特図保留記憶数と第２特図保留記憶数を含む一方で合計保留記憶数は除く概念）を指すこともあるものとする。
【００２７】
遊技盤２における遊技領域の右上側には、可変表示装置５を囲むように内側フレーム４０が取り付けられており、内側フレーム４０の上側には、遊技の際に動作する第１演出可動機構５０と、同じく遊技の際に動作する第２演出可動機構８０が取り付けられている。図２は、内側フレーム４０と第１演出可動機構５０と第２演出可動機構８０との分解斜視図である。この実施の形態のパチンコ遊技機１では、図１及び図２に示すように、前方（遊技者側）から順に、内側フレーム４０、第１演出可動機構５０、第２演出可動機構８０が配置されている。
【００２８】
内側フレーム４０は、円形枠状に構成されており、遊技盤２の盤面の一部を構成している。内側フレーム４０は、この実施の形態では、遊技領域における遊技球が打ち込まれる遊技面から前面側（遊技者側）に突出して形成されており、図示しない打球発射装置から発射された遊技球は、内側フレーム４０より外側を流下する。また、内側フレーム４０には左側面にワープ入口４１が形成されており、遊技領域に打ち込まれた遊技球の一部は、このワープ入口４１から内側フレーム４０の内部に進入して、内側フレーム４０の下部に形成されているワープ出口４７から遊技領域の下側に流下される。
【００２９】
図３、図４は、内側フレーム４０のワープ出口４７近傍を示す正面図、斜視図であり、図５は、内側フレーム４０のワープ出口４７近傍を分解して示す図である。内側フレーム４０には、遊技領域に発射された遊技球の一部を内側フレーム４０の内部に進入させるワープ入口４１と、ワープ入口４１から進入した遊技球を内側フレーム４０の内周側のステージ４５に向けて排出する一次出口４２と、遊技球を遊技領域の下側に流下させるワープ出口４７とが形成されている。この実施の形態では、内側フレーム４０のワープ入口４１から一次出口４２までの通路は、内側フレーム４０の内部または裏面側に形成されており、遊技者は視認することができない。ただし、ワープ入口４１から一次出口４２までの通路は、その一部又は全部が、例えば前面の板が透明な部材で形成されることによって遊技者が視認できるように形成されていてもよい。
【００３０】
図３及び図４に示すように、一次出口４２の出口先には、一次出口４２の出口方向に対して垂直な減速板４３が設けられるとともに、この減速板４３に続いてジグザグ状の通路４４が形成され、ジグザグ状の通路４４の先にステージ４５が設けられている。ステージ４５は、内側フレーム４０の内周側下方に設けられており、可変表示装置５の前面または下方に位置している。ステージ４５の前面側（遊技者側）には、ステージ４５より１段下がったステージ階下４６が形成されており、ステージ４５にはステージ階下４６に遊技球を導く複数の溝４５ａが形成されている。そして、ステージ階下４６には、ワープ出口４７として複数の出口が形成されており、一例として、この実施の形態では、ステージ階下４６の前面に、左右及び中央の計３つの前面出口４７ａが形成されているとともに、ステージ階下４６の中央に形成されている穴４６ａに繋がる中央出口４７ｂが形成されている。ワープ出口４７のうち中央出口４７ｂは、普通入賞球装置６Ａが形成する第１始動入賞口の上方に遊技球を流下させるように形成されており、中央出口４７ｂから流下される遊技球は第１始動入賞口に入賞しやすくなっている。したがって、ステージ階下４６の孔４６ａに遊技球が進入すれば第１始動入賞口に入賞する確率が高くなるので、ステージ４５に至った遊技球がステージ階下４６ａの孔４６ａに進入することに対して期待感が高められる。こうした構成により、ステージ４５に至った遊技球や、ワープ入口４１に進入する遊技球の注目を高めることができ、遊技の興趣を高めることができる。
【００３１】
また、図３から図５に示すように、内側フレーム４０の内周側には、一次出口４２から排出された遊技球が前方（遊技者側）や後方（遊技盤２の裏側や可変表示装置５の側）に飛び跳ねて移動しないように、跳ね止め４８が設けられている。この実施の形態では、跳ね止め４８として、一次出口４２からステージ４５途中までと一次出口４２から遠い側のステージ４５途中から反対側の端部までに通路ガイド部４８ａが設けられ、ステージ階下４６の前面に前面ガイド部４８ｂが設けられている。通路ガイド部４８ａは、一例として、ステージ４５及びステージ階下４６の欄干（手摺り）を模して、遊技球と同じ高さや遊技球の２倍程度の高さに形成されており、ステージ４５の中央を除いて、一次出口４２からワープ出口４７までの通路の前方と後方に設けられている。また、前面ガイド部４８ｂは、ステージ４５及びステージ階下４６の前方を覆うように設けられ、前面出口４７ａとして３つの孔が形成されているとともに、ステージ階下４６の孔４６ａに入った遊技球を排出する中央出口４７ｂが形成されている。この前面ガイド部４８ｂは、内側フレーム４０の外周側を流下する遊技球が飛び跳ねてワープ入口４１以外から内側フレーム４０の内周側に移動したり、後方（遊技盤２の裏側や可変表示装置５の側）に移動したりするのも防止する。
【００３２】
内側フレーム４０は、一次出口４２の出口先に、減速板４３やジグザグ状の通路４４が形成されているので、ワープ入口４１から侵入して一次出口４２から排出された遊技球は、減速板４３やジグザグ状の通路４４の通路壁に衝突して、その勢いが弱められる。このため、ワープ入口４１から侵入した遊技球は、内側フレーム４０の外周側を流下する遊技球に比して、勢いが弱められた状態でステージ４５に至り、その後、ステージ階下４６に移動してワープ出口４７から遊技領域の下方に流下される。このように勢いが弱められて遊技球が内側フレーム４０の内周側に至るので、ワープ入口４１から侵入した遊技球が前方（遊技者側）や後方（遊技盤２の裏側や可変表示装置５の側）に飛び跳ねる可能性は小さい。このため、図３から図５に示すように、遊技球が飛び跳ねるのを防止する跳ね止め４８を小さくすることができる。例えば、跳ね止めとして、内側フレーム４０の内周側全体の前方及び後方を透明な板で覆うと、透明な板の板面を光が反射して、内側フレーム４０の内周側に設けられた可変表示装置５や第１演出可動機構５０、第２演出可動機構８０が視認しづらくなる虞がある。これに対して、この実施の形態では、跳ね止め４８が小さく形成されて、可変表示装置５や第１演出可動機構５０、第２演出可動機構８０の前面に跳ね止め４８が位置しないようにしているので、可変表示装置５や第１演出可動機構５０、第２演出可動機構８０の視認性を向上させることができる。また、この実施の形態では、跳ね止め４８の一部を構成する通路ガイド部４８ａは、ステージ４５やステージ階下４６の欄干を模して形成されているので、遊技球の飛び跳ねを抑制できるとともにワープ出口４７近傍の装飾性を向上できる。
【００３３】
図６は、第１演出可動機構５０の構成の概要を示す図であり、図７は、第１演出可動機構５０を構成要素ごとに分解して後方から示す図である。なお、図７では、後述する可動機構ケース６７、７７については、前方から見た図も合わせて示している。第１演出可動機構５０は、内側フレーム４０の後方側に配設されており、第１装飾体６４、第２装飾体７４、第３装飾体７５のそれぞれを中央側の進出位置に移動させたり（図１参照）、第１装飾体６４、第２装飾体７４、第３装飾体７５のそれぞれを左右両側の退出位置に移動させたりする（図１１参照）。この実施の形態では、第１演出可動機構５０は、第１装飾体６４を有する左側可動機構６０と、第２装飾体７４および第３装飾体７５を有する右側可動機構７０とを備える。
【００３４】
左側可動機構６０は、ベース体６１と、レール（レール部）６２と、動作ギヤ６３と、第１装飾体（第２動作部）６４と、装飾支持体６６（第１動作部）と、可動機構ケース（組付保持部）６７と、駆動ギヤ６８と、駆動源としてのモータ６９Ａと、ギヤカバー６９Ｂと、を備える。
【００３５】
ベース体６１は、遊技盤２の図示しない本体フレームに取り付けられて固定され、左側可動機構６０の各構成要素を直接的又は間接的に支持する。ベース体６１には、例えばビスなどの固定部材によって、レール６２とギヤカバー６９Ｂが前面に取り付けられ、モータ６９Ａが裏面に取り付けられる。また、ベース体６１の裏面には、ベース体６１（レール６２）に対する装飾支持体６６の位置を検出する例えばフォトインタラプタなどの位置検出センサ６１ａが設けられている。一例として、この実施の形態では、装飾支持体６６（第１装飾体６４）が進出位置に位置しているときに可動機構カバー６７の突起６７ｂを検出するようにフォトインタラプタが設けられている。ただし、位置検出センサ６１ａは、こうした例に限らずエンコーダなど種々のセンサを用いることができる。また、こうした位置検出センサ６１ａを備えなくてもよい。
【００３６】
レール６２には、長手方向に沿ってラックギヤ６２ａが形成されている。レール６２には、例えばビスなどの固定部材によってベース体６１に取り付けられるための取付孔６２ｂが長手方向に沿って２箇所形成されている。また、レール６２には、裏面におけるラックギヤ６２ａの下側全域に、ラックギヤ６２ａに沿った溝部６２ｃが形成されており、レール６２に対する装飾支持体６６の進出側および退出側の移動を制限する凸部６２ｄが下方に突出して形成されている。さらに、レール６２には、動作ギヤ６３との位置決めに用いる位置決めマーク６２ｅがギヤ歯に形成されているとともに（図８（ａ）参照）、装飾支持体６６や可動機構ケース６７との組み付けに用いる位置決めマーク６２ｆが裏面に形成されている。詳しくは後述するが、レール６２は、動作ギヤ６３や、第１装飾体６４、装飾支持体６６、可動機構ケース６７と、組み付けられた状態でベース体６１に一体に取り付けられる。
【００３７】
左側可動機構６０の動作ギヤ６３は、第１の歯車６３Ａ及び第２の歯車６３Ｂからなる。この実施の形態では、第１の歯車６３Ａは、第２の歯車６３Ｂに比して径が大きい歯車が用いられている。第１の歯車６３Ａは、左側可動機構６０が組み立てられたときにレール６２のラックギヤ６２ａと噛合し、第２の歯車６３Ｂは、第１の歯車６３Ａと噛合して、第１の歯車６３Ａを介して間接的にレール６２のラックギヤ６２ａと噛合する。第２の歯車６３Ｂの裏面には、ラックギヤ６２ａとの位置決めのための位置決めマーク６３ａが形成されているとともに、左側可動機構６０が正しく組み立てられているか否かを確認するための位置決めマーク６３ｂが形成されている（図８参照）。ただし、左側可動機構６０の動作ギヤ６３は、こうした第１の歯車６３Ａおよび第２の歯車６３Ｂからなるものに限定されず、第２の歯車６３Ｂの方が第１の歯車６３Ａに比して径が大きい歯車が用いられてもよいし、同一の径の歯車が用いられてもよいし、１つ又は３つ以上の歯車が用いられてもよい。
【００３８】
第１装飾体６４は、所定の装飾（例えば、文字などの記号やイラスト又はその一部など）が施された装飾部６４ａと、この装飾部６４ａの裏面から突出する中心軸６４ｂとを有する。第１装飾体６４は、中心軸６４ｂが装飾支持体６６の軸孔６６ｂに挿通して装飾支持体６６に軸支されるとともに、装飾支持体６６の裏面側で中心軸６４ｂに動作ギヤ６３（第２動作ギヤ６３Ｂ）が取り付けられて、動作ギヤ６３の回転に伴って回転する。第１装飾体６４には、内部に図示しないレンズが設けられており、第１装飾体６４に光が照射されたときには、レンズで光が拡散されて第１装飾体６４の装飾効果が高くなるように構成されている。また、第１装飾体６４は、進出位置に位置するときの回転位置を初期回転姿勢として、この初期回転姿勢における前方から見て左下側に、磁石６４ｃが設けられている。
【００３９】
左側可動機構６０の装飾支持体６６は、進出方向側（右側）の端部が丸い、略矩形の板状に形成され、上側の縁と左右両側の縁の約上半分とが後方に突出するように形成されている。装飾支持体６６の上面には、左右方向にラックギヤ６６ａが形成されている。装飾支持体６６には、第１装飾体６４を軸支するための軸孔６６ｂが形成されているとともに、第１ギヤ６３Ａを軸支するための支軸突起６６ｃや、可動機構ケース６７との取り付けのための取付孔および位置決めボスが形成されている。また、装飾支持体６６には、レール６２の下面に形成された凸部６２ｄと干渉してレール６２に対する移動を制限する凸部６６ｄが下側に設けられている。さらに、装飾支持体６６には、第１装飾体６４が初期回転姿勢のときに第１装飾体６４の磁石６４ｃと対応する位置に、磁石６６ｅが設けられている。第１装飾体６４が装飾支持体６６に取り付けられたときには、これらの磁石６４ｃ、６６ｆによって、第１装飾体６４は初期回転姿勢に付勢される。また、装飾支持体６６には、図示しないＬＥＤやＬＥＤを駆動する回路基板が設けられており、第１装飾体６４に対して光を照射することができるように構成されている。
【００４０】
可動機構ケース６７は、例えばビスなどの取付部材によって後方から装飾支持体６６に取り付けられる。可動機構ケース６７には、レール６２の裏面の溝部６２ｃの形状に合わせて、前方に突出するガイド部６７ａが形成されている。可動機構ケース６７には、ベース体６１の位置検出センサ６１ａの検出対象として突起６７ｂが裏面に形成されているとともに、装飾支持体６６との取り付けのための取付孔や位置決め孔が形成されている。また、可動機構ケース６７には、左側可動機構６０を組み立てるときに、後方から動作ギヤ６３（第２ギヤ６３Ｂ）を覗くことができる覗き孔６７ｃが形成されている。さらに、可動機構ケース６７には、覗き孔６７ｃに隣接する位置とガイド部６７ａ近傍の裏面とに、位置決めマーク６７ｄ、６７ｅが形成されている。
【００４１】
図８（ａ）は、可動機構ケース６７を用いたレール６２や装飾支持体６４などの組み付けを説明するための図であり、図８（ｂ）は、可動機構ケース６７やレール６２、装飾支持体６４を組み付けた状態を後方から示す図である。図示するように、左側可動機構６０を組み立てるときには、先ず、装飾支持体６６の軸孔６６ｂに第１装飾体６４の中心軸６４ｂを挿通させて第２ギヤ６３Ｂを取り付けるとともに、第２ギヤ６３Ｂと噛合するように第１ギヤ６３Ａを装飾支持体６６の支軸突起６６ｃに取り付けて、第１装飾体６４と動作ギヤ６３とを装飾支持体６６に取り付ける。続いて、この状態で動作ギヤ６３（第１ギヤ６３Ａ）とレール６２のラックギヤ６２ａが噛合するようにレール６２と装飾支持体６６を位置合わせする。このときには、動作ギヤ６３とラックギヤ６３ａの所定のギヤ歯同士が噛合するように、動作ギヤ６３とレール６２とに形成されている位置決めマーク６２ｅ、６３ａを用いて位置合わせを行う。一例として、この実施の形態では、図８（ａ）に示すように、第２ギヤ６３Ｂにおける位置決めマーク６３ａが形成されたギヤ歯が下に位置するときに、ラックギヤ６２ａにおける位置決めマーク６２ｅが形成されたギヤ歯が第１ギヤ６３Ａと噛合するように各々の位置が調整される。第１装飾体６４は動作ギヤ６３の回転に伴って回転するので、このようにレール６２と動作ギヤ６３を位置合わせすることによって、レール６２に対する装飾支持体６６の位置に対して、第１装飾体６４の姿勢（回転角度）を規定することができる。つまり、例えば、装飾支持体６６が進出位置（右側）に位置するときに、第１装飾体６４が所定の初期回転姿勢となるようにすることができる。
【００４２】
そして、レール６２と動作ギヤ６３を位置合わせした状態で、後方から装飾支持体６６に可動機構ケース６７を取り付ける。具体的には、レール６２の裏面に形成されている溝部６２ｃに、後方から可動機構ケース６７のガイド部６７ａを摺接するように嵌めて、装飾支持体６６と可動機構ケース６７とをビスなどの固定部材で固定する。これにより、レール６２は、装飾支持体６６と可動機構ケース６７によって前方と後方から挟まれて支持され、装飾支持体６６や可動機構ケース６７に対してレール６２に沿って摺動可能に組み付けられる。ここで、装飾支持体６６や可動機構ケース６７は、レール６２と装飾支持体６６の凸部６２ｄ、６６ｄが互いに干渉することによって、レール６２に対して移動範囲が制限される。そして、左側可動機構６０は、装飾支持体６６に可動機構ケース６７が正しく取り付けられたときには、図８（ｂ）に示すように、装飾支持体６６がレール６２に対して進出位置（右側）に位置するときに、可動機構ケース６７の下方に形成された位置決めマーク６７ｅと、レール６２の下方に形成された位置決めマーク６２ｆとの位置が合うとともに、可動機構ケース６７の覗き孔６７ｃに隣接して形成された位置決めマーク６７ｄと、この覗き孔６７ｃから見える第２ギヤ６３Ｂに形成された位置決めマーク６３ｂとの位置が合うように構成されている。もし、このように位置決めマーク６２ｆ、６７ｅ及び位置決めマーク６３ｂ、６７ｄの位置が合わない場合には、各部材が正しく組み付けられていないことを意味する。したがって、装飾支持体６６を進出位置に位置させて、可動機構ケース６７の覗き孔６７ｃから第２ギヤ６３Ｂの位置決めマーク６３ｂを確認することにより、装飾支持体６６やレール６２などが正しく組み付けられているか否かを容易に確認することができる。
【００４３】
また、この実施の形態の左側可動機構６０では、レール６２の裏面に形成されている溝部６２ｃに可動機構ケース６７のガイド部６７ａを後方から嵌めて、装飾支持体６６と可動機構ケース６７とでレール６２を前方と後方から挟んで支持する。レール６２は、装飾支持体６６と可動機構ケース６７とが固定されることによって装飾支持体６６に支持され、図８（ａ）に示すように可動機構ケース６７が装飾支持体６６に取り付けられていない状態では、レール６２と装飾支持体６６は互いに支持されていない。このため、左側可動機構６０では、レール６２がベース体６１に単独で取り付けられると、レール６２の裏面の溝部６２ｃに可動機構ケース６７のガイド部６７ａを嵌めて可動機構ケース６７を取り付けることができず、つまり、装飾支持体６６やレール６２を組み付けることができず、左側可動機構６０を組み立てることができない。一方、レール６２がベース体６１に取り付けられていない状態では、装飾支持体６６とレール６２と可動機構ケース６７とを組み付けることができ、ベース体６１に一体に取り付けることができる。また、このときには、レール６２に対する装飾支持体６６の位置に対して第１装飾体６４の姿勢を規定した状態で保持することができる。つまり、例えば装飾支持体６６が進出位置に位置するときに第１装飾体６４が所定の初期回転姿勢となるようにレール６２や第１装飾体６４、装飾支持体６６、可動機構ケース６７を組み付けた状態で保持することができる。このため、左側可動機構６０を組み立てるときには、レール６２や第１装飾体６４や装飾支持体６６が位置合わせされた状態で、これらを一体にベース体６１に取り付けることができる。これにより、レール６２と装飾支持体６６と第１装飾体６４の互いの組み付け関係が正しくなるよう位置合わせをしながらベース体６１に各部品をそれぞれに取り付けるような必要がなく、左側可動機構６０を容易に組み立てることができる。
【００４４】
また、この実施の形態の左側可動機構６０では、レール６２や装飾支持体６６、可動機構ケース６７を組み付けて、ベース体６１にこれらを取付けるときには、装飾支持体６６が進出位置に位置するようにして（つまり、レール６２が装飾支持体６６から引出された状態にして）、ベース体６１に取り付けることができる。このようにレール６２が装飾支持体６６から引出された状態でベース体６１に取り付けることにより、ベース体６１に取り付けるときに装飾支持体６６などが取り付けの邪魔になるのを抑制することができる。
【００４５】
さらに、第１装飾体６４と装飾支持体６６には、第１装飾体６４が初期回転姿勢で付勢されるように磁石６４ｃ、６６ｅが設けられているので、レール６２と装飾支持体６６と可動機構カバー６７を組み付けるときには、磁石６４ｃ、６６ｅによって付勢される位置に第１装飾体６４を位置させて組付作業を行えばよく、容易に作業を行うことができる。
【００４６】
左側可動機構６０の駆動ギヤ６８は、モータ６９Ａの出力軸６９ａに取り付けられる出力ギヤ６８Ａと、装飾支持体６６のラックギヤ６６ａと噛合する作用ギヤ６８Ｃと、出力ギヤ６８Ａ及び作用ギヤ６８Ｃと噛合する伝達ギヤ６８Ｂの３つのギヤからなる。作用ギヤ６８Ｃと伝達ギヤ６８Ｂのそれぞれは、ベース体６１とギヤケース６９Ｂとに架橋される図示しないギヤ軸に取り付けられることによってベース体６１に軸支される。ギヤケース６９Ｂは、例えばビスなどの固定部材によってベース体６１の前面に取り付けられる。左側可動機構６０が組み立てられたときには、モータ６９Ａから動力が出力されると、出力ギヤ６８Ａ、伝達ギヤ６８Ｂ、作動ギヤ６８Ｃの順に動力が伝達され、作動ギヤ６８Ｃが回転することによってラックギヤ６６ａが移動し、装飾支持体６６が移動する。なお、モータ６９Ａは、例えばステッピングモータを用いることができるが、駆動ギヤ６８を回転させて装飾支持体６６を移動させることができるものであれば如何なる駆動源を用いてもよい。また、駆動ギヤ６８は、出力ギヤ６８Ａ、伝達ギヤ６８Ｂ、作用ギヤ６８Ｃの３つからなるものに限定されず、１つや２つのギヤで構成されてもよいし、４つ以上のギヤで構成されてもよい。
【００４７】
図９は、第１演出可動機構５０の動作を説明するための模式図である。なお、図９では、理解の容易のため、ベース体６１やギヤケース６９Ｂ、可動機構ケース６７の図示を省略している。図９に示すように、装飾支持体６６（第１装飾体６４）が進出位置（右側）に位置する状態でモータ６９Ａから装飾支持体６６を退出方向（左側）に移動させる出力がなされると（前面から見て出力ギヤを時計回りに駆動する出力がなされると）、出力ギヤ６８Ａ、伝達ギヤ６８Ｂ、作動ギヤ６８Ｃの順に動力が伝達され、作動ギヤ６８Ｃが回転することに伴って作動ギヤ６８Ｃと噛合する装飾支持体６６が退出方向に移動する。このときには、図９（ｂ）に示すように、装飾支持体６６の移動に伴ってレール６２のラックギヤ６２ａと噛合する駆動ギヤ６３（第１ギヤ６３Ａおよび第２ギヤ６３Ｂ）が回転し、駆動ギヤ６３の回転に伴って第１装飾体６４が（時計回りに）回転する。つまり、モータ６９Ａから装飾支持体６６を退出方向に移動させる出力がなされると、装飾支持体６６が退出方向に移動するとともに、この移動に伴って装飾支持体６６に取り付けられている第１装飾体６４が回転する。そして、駆動ギヤ６８が所定量回転すると、図１０に示すように、装飾支持体６６（第１装飾体６４）が退出位置（左側）に移動する。このときには、図１１に示すように、第１装飾体６４は、第２演出可動機構８０の前側から内側フレーム４０の裏側に移動する。なお、この実施の形態では、装飾支持体６６が進出位置から退出位置に移動するのに伴って第１装飾体６４が１回転（３６０°回転）し、進出位置と退出位置のそれぞれの位置で第１装飾体６４が初期回転姿勢になるよう構成されている。
【００４８】
また、図１０や図１１に示すように装飾支持体６６が退出位置に位置する状態で、モータ６９Ａから装飾支持体６６を進出方向に移動させる出力がなされると、つまり、モータ６９Ａから先程の装飾支持体６６を退出方向に移動させる出力とは反対方向の出力がなされると（前方から見て出力ギヤ６８Ａを半時計回りに回転させる出力がなされると）、装飾支持体６６が進出方向に移動する（右側に移動する）。このときにも、装飾支持体６６の移動に伴って、レール６２のラックギヤ６２ａと噛合する動作ギヤ６３が回転し、装飾支持体６６が退出方向に移動するときとは反対方向（反時計回り）に、第１装飾体６４が回転する。
【００４９】
この実施の形態の左側可動機構６０では、装飾支持体６６が退出位置に位置するときには、図１０（ａ）に示すように、レール６２の前面に装飾支持体６６や第１装飾体６４が位置して、レール６２に形成されている２つの取付孔６２ｂのうちの１つが前面を装飾支持体６６に覆われる。このようにレール６２の前面の取付孔６２ｂの一方が覆われることによって、取付孔６２ｂが目立つのを抑制することができる。また、この実施の形態の左側可動機構６０では、装飾支持体６６や可動機構ケース６７の進出側（右側）の端部が丸く形成されているので、装飾支持体６６の移動に伴って第１装飾体６４が回転しても、第１装飾体６４の裏側から装飾支持体６６が臨んだり隠れたりして装飾支持体６６が目立つのを抑制することができる。
【００５０】
また、この実施の形態の左側可動機構６０では、第１装飾体６４にレンズが設けられるとともに、第１装飾体６４に光を照射するＬＥＤなどが装飾支持体６６に設けられているので、第１装飾体６４を光らせて第１装飾体６４の視認性を向上させることができる。また、このように第１装飾体６４に光を照射する機構を装飾支持体６６に設けることによって、回転動作する第１装飾体６４に発光機構を設ける場合に比して、左側可動機構６０の構成を簡易なものとすることができる。
【００５１】
右側可動機構７０は、ベース体７１と、レール（レール部）７２と、動作ギヤ７３と、第２装飾体７４と、第３装飾体７５（第２動作部）と、装飾支持体７６（第１動作部）と、可動機構ケース（組付保持部）７７と、駆動ギヤ７８と、駆動源としてのモータ７９Ａと、ギヤカバー７９Ｂと、を備える。
【００５２】
ベース体７１は、遊技盤２の図示しない本体フレームに取り付けられて固定され、右側可動機構７０の各構成要素を直接的又は間接的に支持する。ベース体７１には、例えばビスなどの固定部材によって、レール７２とギヤカバー７９Ｂが前面に取り付けられ、モータ７９Ａが裏面に取り付けられる。また、ベース体７１の裏面には、左側可動機構６０のベース体６１と同様に、ベース体７１（レール７２）に対する装飾支持体７６の位置を検出する位置検出センサ７１ａが設けられている。
【００５３】
レール７２には、長手方向に沿ってラックギヤ７２ａが形成されている。レール７２には、例えばビスなどの固定部材によってベース体７１に取り付けられるための取付孔７２ｂが、長手方向に沿って２箇所形成されている。また、レール７２には、裏面におけるラックギヤ７２ａの下側全域に、ラックギヤ７２ａに沿った溝部７２ｃが形成されているとともに、レール７２に対する装飾支持体７６の進出側および退出側の移動を制限する凸部７２ｄが下方に突出して形成されている。さらに、レール７２には、動作ギヤ７３との位置決めに用いる位置決めマーク７２ｅがギヤ歯に形成されているとともに（図８（ａ）参照）、装飾支持体７６や可動機構ケース７７との組み付けに用いる位置決めマーク７２ｆが裏面に形成されている。レール７２は、左側可動機構６０と同様に、動作ギヤ７３や、第１装飾体７４、装飾支持体７６、可動機構ケース７７と、組み付けられた状態でベース体７１に一体に取り付けられる。
【００５４】
右側可動機構７０の動作ギヤ７３は、１つの歯車からなる。動作ギヤ７３は、右側可動機構７０が組み立てられたときにレール７２のラックギヤ７２ａと噛合する。動作ギヤ７３の裏面には、左側可動機構６０の第２ギヤ６３Ｂと同様に、ラックギヤ７２ａとの位置決めのための位置決めマーク７３ａが形成されているとともに、右側可動機構７０が正しく組み立てられているか否かを確認するための位置決めマーク７３ｂが形成されている。ただし、右側可動機構７０の動作ギヤ７３は、例えば左側可動機構６０の動作ギヤ６３と同様に、２つ以上の歯車で構成されてもよい。
【００５５】
第２装飾体７４は、所定の装飾（例えば、文字などの記号やイラスト又はその一部など）が施された装飾部７４ａと、この装飾部７４ａの裏面から突出する支持軸７４ｂとを有する。第２装飾体７４は、支持軸７４ｂが装飾支持体７６に取り付けられて、装飾支持体７６と一体に移動する。なお、第２装飾体７４は、第１装飾体６４及び第３装飾体７５と異なり、装飾支持体７６の移動に伴って回転しない。第２装飾体７４には、内側に図示しないレンズとこのレンズに光りを照射するＬＥＤ回路基板が設けられており、ＬＥＤによってレンズを光らせて第２装飾体７４の視認性を向上できるように構成されている。なお、第２装飾体７４にはレンズのみが設けられ、装飾支持部７６の図示しないＬＥＤからレンズに光が照射されて第２装飾体７４の装飾効果が高められるように構成されてもよい。
【００５６】
第３装飾体７５は、所定の装飾（例えば、文字などの記号やイラスト又はその一部など）が施された装飾部７５ａと、この装飾部７５ａの裏面から突出する中心軸７５ｂとを有する。第３装飾体７５は、中心軸７５ｂが装飾支持体７６の軸孔７６ｃに挿通して装飾支持体７６に軸支されるとともに、装飾支持体７６の裏面側で中心軸７５ｂが動作ギヤ７３に取り付けられ、動作ギヤ７３の回転に伴って回転する。第３装飾体７５には、第１装飾体６４と同様に、内部に図示しないレンズが設けられている。また、第３装飾体７５は、第１装飾体６４と同様に、進出位置及び退出位置に位置するときの回転位置を初期回転姿勢として、この初期回転姿勢における前方から見て左下側に、磁石７５ｃが設けられている。
【００５７】
右側可動機構７０の装飾支持体７６は、略矩形の板状であって、上側の縁と左右両側の縁の約上半分とが後方に突出する形状に形成されている。右側可動機構７０の装飾支持体７６の上面には、左右方向にラックギヤ７６ａが形成されている。装飾支持体７６には、第２装飾体７４を固定するための取付孔７６ｂや、第３装飾体７５を軸支するための軸孔７６ｃが形成されているとともに、可動機構ケース７７との取り付けのための取付孔および位置決めボスが形成されている。また、装飾支持体７６には、レール７２の下面に形成された凸部７２ｄと干渉してレール７２に対する移動を制限する凸部７６ｄが下側に設けられている。さらに、装飾支持体７６には、第３装飾体７５が初期回転姿勢のときに第１装飾体７５の磁石７５ｃと対応する位置に磁石７６ｅが設けられている。これにより、第３装飾体７５は、磁石７５ｃ、７６ｅによって初期回転姿勢に付勢される。また、装飾支持体７６には、図示しないＬＥＤやＬＥＤを駆動する回路基板が設けられており、ＬＥＤによって第３装飾体７５に光を照射することができるように構成されている。
【００５８】
可動機構ケース７７は、左側可動機構６０の可動機構ケース６７と同様に、例えばビスなどの固定部材によって装飾支持体７６に後方から取り付けられる。可動機構ケース７７は、レール７２の裏面の溝部７２ｃの形状に合わせて、前方に突出するガイド部７７ａが形成されている。可動機構ケース７７には、ベース体７１の位置検出センサ７１ａの検出対象として突起７７ｂが裏面に形成されているとともに、装飾支持体７６との取り付けのための取付孔や位置決め孔が形成されている。また、可動機構ケース７７には、右側可動機構７０を組み立てたときに、後方から動作ギヤ７３を覗くことができる覗き孔７７ｃが形成されている。さらに、可動機構ケース７７には、覗き孔７７ｃに隣接する位置とガイド部７７ａ近傍の裏面とに位置決めマーク７７ｄ、７７ｅが形成されている。
【００５９】
図８に示すように、右側可動機構７０を組み立てるときには、先ず、第２装飾体７４や、第３装飾体７５、動作ギヤ７３を装飾支持体７６に取り付ける。ここで、第２装飾体７４は、ビスなどの固定部材によって装飾支持体７６に固定され、第３装飾体７５と動作ギヤ７３は、装飾支持体７６の軸孔７６ｃに第３装飾体７５の中心軸７５ｂを挿通させて動作ギヤ７５を取り付けることで装飾支持体７６に軸支される。続いて、この状態で、左側可動機構６０を組み立てるときと同様に、動作ギヤ７３とレール７２に形成された位置決めマーク７２ｅ、７３ａを用いて、レール７２と装飾支持体７６を位置決めする。一例として、この実施の形態では、図８（ａ）に示すように、ラックギヤ７２ａの位置決めマーク７２ｅが形成されたギヤ歯と動作ギヤ７３の位置決めマーク７３ａが形成されたギヤ歯とが噛合するように互いの位置が調整される。このようにレール７２と動作ギヤ７３を位置合わせすることによって、レール７２における装飾支持体７６の位置に対して、第３装飾体７５の姿勢（回転角度）を規定することができる。つまり例えば、装飾支持体７６が進出位置（右側）に位置するときに第３装飾体７５が所定の初期回転姿勢となるようにすることができる。
【００６０】
そして、レール７２と動作ギヤ７３を位置合わせした状態で、後方から装飾支持体７６に可動機構ケース７７を取り付ける。具体的には、レール７２の裏面に形成されている溝部７２ｃに可動機構ケース７７のガイド部７７ａを後方から摺接するように嵌めて、装飾支持体７６と可動機構ケース７７とをビスなどの固定部材で固定する。これにより、レール７２は、左側可動機構６０と同様に、装飾支持体７６と可動機構ケース７７によって前方と後方から挟まれて支持され、装飾支持体７６や可動機構ケース７７に対してレール７２に沿って摺動可能に組み付けられる。そして、右側可動機構７０は、装飾支持体７６に可動機構ケース７７が正しく取り付けられたときには、図８（ｂ）に示すように、装飾支持体７６がレール７２に対して進出位置（右側）に位置するときに、可動機構ケー７７の下方に形成された位置決めマーク７７ｅとレール７２の下方に形成された位置決めマーク７２ｆとの位置が合うとともに、可動機構ケース７７の覗き孔７７ｃに隣接して形成された位置決めマーク７７ｄと、この覗き孔７７ｃから見える動作ギヤ７３に形成された位置決めマーク７３ｂとの位置が合うように構成されている。こうした構成により、左側可動機構７０と同様に、装飾支持体７６を進出位置に位置させて、可動機構ケース７７の覗き孔７７ｃから動作ギヤ７３の位置決めマーク７３ｂを確認することにより、装飾支持体７６やレール７２などが正しく組みつけられているか否かを容易に確認することができる。
【００６１】
また、右側可動機構７０では、左側可動機構６０と同様に、レール７２の裏面に形成されている溝部７２ｃに可動機構ケース７７のガイド部７７ａを後方から嵌めて、装飾支持体７６と可動機構ケース７７とでレール６２を前方と後方から挟んで支持するので、レール７２がベース体７１に単独で取り付けらると、レール７２の裏面の溝部７２ｃに可動機構ケース７７のガイド部７７ａを嵌めることができず、つまり、装飾支持体７６とレール７２とを組み付けることができないので、右側可動機構７０を組み立てることができない。一方、レール７２がベース体７１に取り付けられていない状態では、装飾支持体７６とレール７２と可動機構ケース７７とを組み付けることができ、ベース体７１に一体に取り付けることができる。また、こうした構成により、右側可動機構７０を組み立てるときには、レール７２や第１装飾体７４や装飾支持体７６が位置合わせされた状態で、これらを一体にベース体７１に取り付けることができ、容易に右側可動機構７０を組み立てることができる。
【００６２】
さらに、第３装飾体７５と装飾支持体７６には、第３装飾体７５が初期回転姿勢で付勢されるように磁石７５ｄ、７６ｅが設けられているので、レール７２と装飾支持体７６と可動機構カバー７７を組み付けるときには、磁石７５ｃ、７６ｅによって付勢される位置に第３装飾体７５を位置させて組付作業を行えばよく、容易に作業を行うことができる。
【００６３】
右側可動機構７０の駆動ギヤ７８は、モータ７９Ａの出力軸７９ａに取り付けられる出力ギヤ７８Ａと、ベース体６１に軸支されて、装飾支持体７６の上面に形成されたラックギヤ７６ａと噛合する作用ギヤ７８Ｂとの２つのギヤからなる。右側可動機構７０が組み立てられたときには、モータ７９Ａから動力が出力されると、出力ギヤ７８Ａ、作動ギヤ７８Ｂの順に動力が伝達され、作動ギヤ７８Ｂが回転することによってラックギヤ７６ａが移動し、装飾支持体７６が移動する。なお、モータ７９Ａは、左側可動機構６０のモータ６９Ａと同一のものを用いてもよいし、それぞれに異なるものを用いてもよい。また、右側可動機構７０の駆動ギヤ７８は、１つのギヤで構成されてもよいし、３つ以上のギヤで構成されてもよい。
【００６４】
図９に示すように、装飾支持体７６（第２装飾体７４及び第３装飾体７５）が進出位置（左側）に位置する状態でモータ７９Ａから装飾支持体７６を退出方向（右側）に移動させる出力がなされると（前面から見て出力ギヤを時計回りに駆動する出力がなされると）、出力ギヤ７８Ａ、作動ギヤ７８Ｂの順に動力が伝達され、作動ギヤ７８Ｂが回転することに伴って作動ギヤ７８Ｂと噛合する装飾支持体７６が退出方向に移動する。そして、装飾支持体７６の退出方向への移動に伴って動作ギヤ７３が回転し、装飾支持体７６に取り付けられている第３装飾体７５が回転する。そして、駆動ギヤ７８が所定量回転すると、図１０に示すように、装飾支持体７６（第２装飾体７４及び第３装飾体７５）が退出位置（左側）に移動する。このときには、図１１に示すように、第３装飾体７５は、第２演出可動機構８０の前側から内側フレーム４０の裏側に移動し、第２装飾体７４は、内側フレーム４０の内周側に並んで配置される。なお、この実施の形態では、右側可動機構７０の装飾支持体７６が進出位置から退出位置に移動するのに伴って第３装飾体７５４が１回転（３６０°回転）し、進出位置と退出位置のそれぞれの位置で第３装飾体７５が初期回転姿勢になるよう構成されている。
【００６５】
また、図１０や図１１に示すように装飾支持体７６が退出位置に位置する状態で、モータ７９Ａから装飾支持体７６を進出方向に移動させる出力がなされると、つまり、モータ７９Ａから先程の装飾支持体７６を退出方向に移動させる出力とは反対方向の出力がなされると（前方から見て出力ギヤ７８Ａを半時計回りに回転させる出力がなされると）、出力ギヤ７８Ａ、作用ギヤ７８Ｂの順に動力が伝達され、作用ギヤ７８Ｂの回転に伴って装飾支持体７６が進出方向に移動する（左側に移動する）。このときにも装飾支持体７６の移動に伴ってレール７２のラックギヤ７２ａと噛合する動作ギヤ７３が回転し、装飾支持体７６が退出方向に移動するときとは反対方向（反時計回り）に、第３装飾体７５が回転する。
【００６６】
この実施の形態の左側可動機構６０と右側可動機構７０では、左側可動機構６０の駆動ギヤ６８（出力ギヤ６８Ａ、伝達ギヤ６８Ｂ、作動ギヤ６８Ｃ）と、右側可動機構７０の駆動ギヤ７８（出力ギヤ７８Ａ、作動ギヤ７８Ｂ）とで、ギヤの個数が異なっており、モータ６９Ａ、７９Ａを同一の回転方向に同じように駆動することによって、装飾支持体６６、７６が進出方向と退出方向とにそれぞれ移動するように構成されている。これにより、第１演出可動機構５０の制御を容易に行うことができる。また、左側可動機構６０と右側可動機構７０では、動作ギヤ６３（第１ギヤ６３Ａ、第２ギヤ６３Ｂ）と動作ギヤ７３とで、ギヤの個数が異なっており、装飾支持体６６、７６が進出方向、退出方向に移動するときに、第１装飾体６４と第３装飾体７５とが同一の方向に回転するように構成されている。こうした構成により、左側可動機構６０と右側可動機構７０の一体感を高めて第１演出可動機構５０の演出効果を向上させることができる。
【００６７】
また、この実施の形態の右側可動機構７０では、装飾支持体７６が退出位置に位置するときには、図１０（ａ）に示すように、レール７２の前面に装飾支持体７６や第２装飾体７４、第３装飾体７５が位置して、レール７２に形成されている２つの取付孔７２ｂのうちの１つが前面を装飾支持体７６に覆われる。これにより、取付孔６２ｂが目立つのを抑制することができる。また、レール７２や装飾支持体７６、可動機構ケース７７を組み付けて、ベース体７１にこれらを取付けるときには、装飾支持体７６が進出位置に位置するようにして（つまり、レール７２が装飾支持体７６から引出された状態にして）、ベース体７１に取り付けることができるので、ベース体７１に取り付けるときに装飾支持体７６などが取り付けの邪魔になるのを抑制することができる。
【００６８】
また、この実施の形態の右側可動機構７０では、第３装飾体７５にレンズが設けられるとともに、第３装飾体７５に光を照射するＬＥＤなどが装飾支持体７６に設けられているので、左側可動機構６０と同様に、簡易な構成で第３装飾体７５を光らせて第３装飾体７５の視認性を向上させることができる。
【００６９】
図１２（ａ）は、動作シンボル８１が初期位置に位置するときの第２演出可動機構８０を示す正面図であり、図１２（ｂ）は、動作シンボル８１が下方に移動したときの第２演出可動機構８０を示す正面図である。第２演出可動機構８０は、第１演出可動機構８０の後方に配設されており、遊技者などによる遊技に伴って、図１２（ａ）に示すように動作シンボル８１を初期位置に位置させたり、図１２（ｂ）に示すように動作シンボル８１を初期位置から下降させたりすることができる。動作シンボル８１の初期位置の裏側には、第２演出可動機構８０のフレーム体８５に固定された固定シンボル９０が配置されており、動作シンボル８１が初期位置から下降すると、図１２（ｂ）に示すように動作シンボル８１の裏側から固定シンボル９０が現れる。動作シンボル８１や固定シンボル９０には、所定の装飾（例えば、文字などの記号やイラスト又はその一部など）が施されている。固定シンボル９０は、その上端がフレーム体８５に固定されている。また、固定シンボル９０の下端には、縁に沿って前面に突出する保護突起９０ａが形成されている（図１４参照）。
【００７０】
第２演出可動機構８０では、図１２に示すように、動作シンボル８１に対してアーム８２が取り付けられており、アーム８２が駆動機構８３によって回動されることによって動作シンボル８１が上下に移動するよう構成されている。駆動機構８３は、一例として、図示しないモータからの出力によって複数のギヤを介して作動ギヤ８４が回転するように構成されている。駆動機構８３の作動ギヤ８４には、回転中心から離れた位置に動力伝達突起８４ａが形成されており、この動力伝達突起８４ａが、アーム８２の一端に形成されている長孔８２ａに挿通されている。アーム８２は、第２演出可動機構８０のフレーム体８５に支軸８２ｂによって軸支されており、作動ギヤ８４が回転して動力伝達突起８４ａがアーム８２の長孔８２ａの壁面を押すと、アーム８２が支軸８２ｂ周りに回動する。アーム８２には、駆動機構８３に接続されている側とは反対側の端部にも図示しない長孔が形成されており、この長孔に、動作シンボル８１に固定されている第１部材８７の駆動軸８６ｃ（図１３及び図１４参照）が挿通されている。そして、アーム８２が回動すると、アーム８２の回動に伴って駆動軸８７ａが移動し、動作シンボル８１が移動する。
【００７１】
第２演出可動機構８０には、アーム８２の回動に伴って動作シンボル８１が上下方向に移動するように、動作シンボル８１をガイドするガイド機構８６が設けられている。図１３は、動作シンボル８１とガイド機構８６と固定シンボル９０とフレーム体８５とを分解して示す図である。なお、図１２では、アーム８２や駆動機構８３の図示を省略している。ガイド機構８６は、図示するように、第１部材８６Ａ、第２部材８６Ｂ、第３部材８６Ｃを備えている。第１部材８６Ａ、第２部材８６Ｂ、第３部材８６Ｃのそれぞれには、上下方向に沿ったガイド孔８６ａや、ガイド孔８６ａにガイド挿通されるガイド軸８６ｂが形成されており、ガイド孔８６ａに沿ってガイド軸８６ｂが移動することによって、動作シンボル８１が上下方向に沿って移動するようにガイドする。
【００７２】
第１部材８６Ａは、ビスなどの固定部材によって動作シンボル８１に固定されている。動作シンボル８１は、下端が後方に延出する形状をしており、この後方に延出する下端において動作シンボル８１と第１部材８６Ａとが固定されている。つまり、動作シンボル８１と第１部材８６Ａとは、横から見て上に開口するコの字状となっている。第１部材８６Ａは、固定シンボル９０の裏面側に配置され、固定シンボル９０は、動作シンボル８１と第１部材８６Ａとに挟まれて配置されている。第１部材８６Ａには、駆動軸８６ｃが前面に形成されており、この駆動軸８６ｃがアーム８２の図示しない長孔に挿通される。
【００７３】
図１４は、第２演出可動機構８０の動作を説明する図である。第２演出可動機構８０では、図１４（ａ）に示す動作シンボル８１が初期位置（上側）に位置する状態から駆動機構８３によってアーム８２が回動されると、動作シンボル８１に固定された駆動軸８６ｃがアーム８２の回動に伴って移動し、動作シンボル８１が下側に移動する。このときには、図１４（ｂ）に示すように、動作シンボル８１（第１部材８６Ａ）の移動に伴って第２部材８６Ｂ、第３部材８６Ｃが順にスライドして下方に移動する。そして、動作シンボル８１が下方に移動すると、動作シンボル８１の初期位置の裏側に位置する固定シンボル９０が現れる。また、駆動機構８３によってアーム８２を上方に回動させることによって、動作シンボル８１を初期位置に戻して、固定シンボル９１を動作シンボル８１の裏側に位置させることができる。
【００７４】
動作シンボル８１が移動することによって固定シンボル９０が現れる演出効果を高めるために、動作シンボル８１が初期位置に位置するときには固定シンボル９０が視認できない方が好ましく、動作シンボル８１は、固定シンボル９０の直ぐ前面に配置されることが望ましい。しかし、固定シンボル９０の前面に接して動作シンボル８１が上下に移動すると、動作シンボル８１の動作抵抗が大きくなったり、動作シンボル８１が固定シンボル９０に施されている装飾を削る虞がある。これに対して、この実施の形態の第２演出可動機構８０では、図１４に示すように、固定シンボル９０の下端に、前方に突出する保護突起９０ａが形成されているので、動作シンボル８１が固定シンボル９０に接しても、動作シンボル８１の動作抵抗が大きくなるのを抑制できるとともに、動作シンボル８１が固定シンボル９０に施されている装飾を削るのを防止することができる。また、固定シンボル９０の保護突起９０ａは、固定シンボル９０の下縁に沿って形成されているので、こうした保護突起９０ａが目立つのも抑制できる。
【００７５】
なお、第２演出可動機構８０は、動作シンボル８１が上下方向に移動するものとしたが、こうした例に限定されず、例えば、動作シンボル８１が初期位置から左側に移動することによって、動作シンボル８１の裏側から固定シンボル９０が現れるものとしてもよい。この場合には、保護突起９０ａとして固定シンボル９０の左側の縁が前方に突出するように形成されていてもよい。また、動作シンボル８１は、アーム８２の回動に伴って回動するように構成されていてもよい。また、保護突起９０ａは、固定シンボル９０の下側の縁だけではなく、全周に亘って形成されるなどとしてもよい。
【００７６】
遊技盤２における遊技領域の下方には、普通入賞球装置６Ａと、普通可変入賞球装置６Ｂとが設けられている。普通入賞球装置６Ａは、例えば所定の玉受部材によって常に一定の開放状態に保たれる始動領域（第１始動領域）としての第１始動入賞口を形成する。普通可変入賞球装置６Ｂは、図１０に示す普通電動役物用となるソレノイド８１によって、垂直位置となる通常開放状態と傾動位置となる拡大開放状態とに変化する一対の可動翼片を有する電動チューリップ型役物（普通電動役物）を備え、始動領域（第２始動領域）第２始動入賞口を形成する。
【００７７】
一例として、普通可変入賞球装置６Ｂでは、普通電動役物用のソレノイド８１がオフ状態であるときに可動翼片が垂直位置となることにより、遊技球が第２始動入賞口を通過（進入）しがたい通常開放状態となる。その一方で、普通可変入賞球装置６Ｂでは、普通電動役物用のソレノイド８１がオン状態であるときに可動翼片が傾動位置となる傾動制御により、遊技球が第２始動入賞口を通過（進入）しやすい拡大開放状態となる。なお、普通可変入賞球装置６Ｂは、通常開放状態であるときでも、第２始動入賞口には遊技球が進入可能であるものの、拡大開放状態であるときよりも遊技球が進入する可能性が低くなるように構成してもよい。あるいは、普通可変入賞球装置６Ｂは、通常開放状態において、例えば第２始動入賞口を閉鎖することなどにより、第２始動入賞口には遊技球が進入しないように構成してもよい。このように、第２始動領域としての第２始動入賞口は、遊技球が通過（進入）しやすい拡大開放状態と、遊技球が通過（進入）しにくいまたは通過（進入）できない通常開放状態とに変化する。
【００７８】
普通入賞球装置６Ａに形成された第１始動入賞口を通過（進入）した遊技球は、例えば図１０に示す第１始動口スイッチ２２Ａによって検出される。普通可変入賞球装置６Ｂに形成された第２始動入賞口を通過（進入）した遊技球は、例えば図１０に示す第２始動口スイッチ２２Ｂによって検出される。第１始動口スイッチ２２Ａによって遊技球が検出されたことに基づき、所定個数（例えば３個）の遊技球が賞球として払い出され、第１特図保留記憶数が所定の上限値（例えば「４」）以下であれば、第１始動条件が成立する。第２始動口スイッチ２２Ｂによって遊技球が検出されたことに基づき、所定個数（例えば３個）の遊技球が賞球として払い出され、第２特図保留記憶数が所定の上限値（例えば「４」）以下であれば、第２始動条件が成立する。なお、第１始動口スイッチ２２Ａによって遊技球が検出されたことに基づいて払い出される賞球の個数と、第２始動口スイッチ２２Ｂによって遊技球が検出されたことに基づいて払い出される賞球の個数は、互いに同一の個数であってもよいし、異なる個数であってもよい。
【００７９】
普通入賞球装置６Ａと普通可変入賞球装置６Ｂの下方には、特別可変入賞球装置７が設けられている。特別可変入賞球装置７は、図１０に示す大入賞口扉用となるソレノイド８２によって開閉駆動される大入賞口扉を備え、その大入賞口扉によって開放状態と閉鎖状態とに変化する特定領域としての大入賞口を形成する。
【００８０】
一例として、特別可変入賞球装置７では、大入賞口扉用のソレノイド８２がオフ状態であるときに大入賞口扉が大入賞口を閉鎖状態として、遊技球が大入賞口を通過（進入）できなくする。その一方で、特別可変入賞球装置７では、大入賞口扉用のソレノイド８２がオン状態であるときに大入賞口扉が大入賞口を開放状態として、遊技球が大入賞口を通過（進入）しやすくする。このように、特定領域としての大入賞口は、遊技球が通過（進入）しやすく遊技者にとって有利な開放状態と、遊技球が通過（進入）できず遊技者にとって不利な閉鎖状態とに変化する。なお、遊技球が大入賞口を通過（進入）できない閉鎖状態に代えて、あるいは閉鎖状態の他に、遊技球が大入賞口を通過（進入）しにくい一部開放状態を設けてもよい。
【００８１】
大入賞口を通過（進入）した遊技球は、例えばカウントスイッチ２３によって検出される。カウントスイッチ２３によって遊技球が検出されたことに基づき、所定個数（例えば１５個）の遊技球が賞球として払い出される。こうして、特別可変入賞球装置７において開放状態となった大入賞口を遊技球が通過（進入）したときには、例えば第１始動入賞口や第２始動入賞口といった、他の入賞口を遊技球が通過（進入）したときよりも多くの賞球が払い出される。したがって、特別可変入賞球装置７において大入賞口が開放状態となれば、その大入賞口に遊技球が進入可能となり、遊技者にとって有利な第１状態となる。その一方で、特別可変入賞球装置７において大入賞口が閉鎖状態となれば、大入賞口に遊技球を通過（進入）させて賞球を得ることが不可能または困難になり、遊技者にとって不利な第２状態となる。
【００８２】
遊技盤２の所定位置（図１に示す例では、遊技領域の左側方）には、普通図柄表示器２０が設けられている。一例として、普通図柄表示器２０は、第１特別図柄表示装置４Ａや第２特別図柄表示装置４Ｂと同様に７セグメントやドットマトリクスのＬＥＤ等から構成され、特別図柄とは異なる複数種類の識別情報である普通図柄（「普図」あるいは「普通図」ともいう）を変動可能に表示（可変表示）する。このような普通図柄の可変表示は、普図ゲーム（「普通図ゲーム」ともいう）と称される。
【００８３】
普通図柄表示器２０の上方には、普図保留表示器２５Ｃが設けられている。普図保留表示器２５Ｃは、例えば４個のＬＥＤを含んで構成され、通過ゲート２６を通過した有効通過球数としての普図保留記憶数を表示する。
【００８４】
遊技盤２の表面には、上記の構成以外にも、遊技球の流下方向や速度を変化させる風車及び多数の障害釘が設けられている。また、第１始動入賞口、第２始動入賞口及び大入賞口とは異なる入賞口として、例えば所定の玉受部材によって常に一定の開放状態に保たれる単一または複数の一般入賞口が設けられてもよい。この場合には、一般入賞口のいずれかに進入した遊技球が所定の一般入賞球スイッチによって検出されたことに基づき、所定個数（例えば１０個）の遊技球が賞球として払い出されればよい。遊技領域の最下方には、いずれの入賞口にも進入しなかった遊技球が取り込まれるアウト口が設けられている。
【００８５】
遊技機用枠３の左右上部位置には、効果音等を再生出力するためのスピーカ８Ｌ、８Ｒが設けられており、さらに遊技領域周辺部には、遊技効果ランプ９が設けられている。パチンコ遊技機１の遊技領域における各構造物（例えば普通入賞球装置６Ａ、普通可変入賞球装置６Ｂ、特別可変入賞球装置７、内側フレーム４０等）の周囲には、装飾用ＬＥＤが配置されていてもよい。遊技機用枠３の右下部位置には、遊技媒体としての遊技球を遊技領域に向けて発射するために遊技者等によって操作される打球操作ハンドル（操作ノブ）が設けられている。例えば、打球操作ハンドルは、遊技者等による操作量（回転量）に応じて遊技球の弾発力を調整する。打球操作ハンドルには、打球発射装置が備える発射モータの駆動を停止させるための単発発射スイッチや、タッチリング（タッチセンサ）が設けられていればよい。
【００８６】
遊技領域の下方における遊技機用枠３の所定位置には、賞球として払い出された遊技球や所定の球貸機により貸し出された遊技球を、打球発射装置へと供給可能に保持（貯留）する上皿（打球供給皿）が設けられている。遊技機用枠３の下部には、上皿から溢れた余剰球などを、パチンコ遊技機１の外部へと排出可能に保持（貯留）する下皿が設けられている。
【００８７】
下皿を形成する部材には、例えば下皿本体の上面における手前側の所定位置（例えば下皿の中央部分）などに、遊技者が把持して傾倒操作が可能なスティックコントローラ３１Ａが取り付けられている。スティックコントローラ３１Ａは、遊技者が把持する操作桿を含み、操作桿の所定位置（例えば遊技者が操作桿を把持したときに操作手の人差し指が掛かる位置など）には、トリガボタンが設けられている。トリガボタンは、遊技者がスティックコントローラ３１Ａの操作桿を操作手（例えば左手など）で把持した状態において、所定の操作指（例えば人差し指など）で押引操作することなどにより所定の指示操作ができるように構成されていればよい。操作桿の内部には、トリガボタンに対する押引操作などによる所定の指示操作を検知するトリガセンサが内蔵されていればよい。
【００８８】
スティックコントローラ３１Ａの下部における下皿の本体内部などには、操作桿に対する傾倒操作を検知する傾倒方向センサユニットが設けられていればよい。例えば、傾倒方向センサユニットは、パチンコ遊技機１と正対する遊技者の側からみて操作桿の中心位置よりも左側で遊技盤２の盤面と平行に配置された２つの透過形フォトセンサ（平行センサ対）と、この遊技者の側からみて操作桿の中心位置よりも右側で遊技盤２の盤面と垂直に配置された２つの透過形フォトセンサ（垂直センサ対）とを組み合わせた４つの透過形フォトセンサを含んで構成されていればよい。
【００８９】
上皿を形成する部材には、例えば上皿本体の上面における手前側の所定位置（例えばスティックコントローラ３１Ａの上方）などに、遊技者が押下操作などにより所定の指示操作を可能なプッシュボタン３１Ｂが設けられている。プッシュボタン３１Ｂは、遊技者からの押下操作などによる所定の指示操作を、機械的、電気的、あるいは、電磁的に、検出できるように構成されていればよい。プッシュボタン３１Ｂの設置位置における上皿の本体内部などには、プッシュボタン３１Ｂに対してなされた遊技者の操作行為を検知するプッシュセンサが設けられていればよい。なお、スティックコントローラ３１Ａやプッシュボタン３１Ｂは、遊技者による操作が検出された場合、図１０に示す演出制御基板１２によって表示装置５における表示演出が変更されたり、演出可動機構５０における動作やスピーカ８Ｌ、８Ｒからの音声出力や遊技効果ランプ９などの発光体における点灯動作（点滅動作）などが行われる演出（例えば予告演出やリーチ演出）などにおいて使用されればよい。
【００９０】
次に、パチンコ遊技機１における遊技の進行を概略的に説明する。
【００９１】
パチンコ遊技機１では、遊技領域に設けられた通過ゲート２６を通過した遊技球が図示しないゲートスイッチによって検出されたことといった、普通図柄表示器２０にて普通図柄の可変表示を実行するための普図始動条件が成立した後に、例えば前回の普図ゲームが終了したことといった、普通図柄の可変表示を開始するための普図開始条件が成立したことに基づいて、普通図柄表示器２０による普図ゲームが開始される。
【００９２】
この普図ゲームでは、普通図柄の変動を開始させた後、普図変動時間となる所定時間が経過すると、普通図柄の可変表示結果となる確定普通図柄を停止表示（導出表示）する。このとき、確定普通図柄として、例えば「７」を示す数字といった、特定の普通図柄（普図当り図柄）が停止表示されれば、普通図柄の可変表示結果が「普図当り」となる。その一方、確定普通図柄として、例えば「７」を示す数字以外の数字や記号といった、普図当り図柄以外の普通図柄が停止表示されれば、普通図柄の可変表示結果が「普図ハズレ」となる。普通図柄の可変表示結果が「普図当り」となったことに対応して、普通可変入賞球装置６Ｂを構成する電動チューリップの可動翼片が傾動位置となる拡大開放制御（傾動制御）が行われ、所定時間が経過すると垂直位置に戻る通常開放制御が行われる。
【００９３】
普通入賞球装置６Ａに形成された第１始動入賞口を通過（進入）した遊技球が図示しない第１始動口スイッチによって検出されたことなどにより第１始動条件が成立した後に、例えば前回の特図ゲームや大当り遊技状態が終了したことなどにより第１開始条件が成立したことに基づいて、第１特別図柄表示装置４Ａによる特図ゲームが開始される。また、普通可変入賞球装置６Ｂに形成された第２始動入賞口を通過（進入）した遊技球が図示しない第２始動口スイッチによって検出されたことなどにより第２始動条件が成立した後に、例えば前回の特図ゲームや大当り遊技状態が終了したことなどにより第２開始条件が成立したことに基づいて、第２特別図柄表示装置４Ｂによる特図ゲームが開始される。
【００９４】
第１特別図柄表示装置４Ａや第２特別図柄表示装置４Ｂによる特図ゲームでは、特別図柄の可変表示を開始させた後、特図ゲームが行われるごとに設定される特図変動時間としての可変表示時間が経過すると、特別図柄の可変表示結果となる確定特別図柄（特図表示結果）を導出表示する。このとき、確定特別図柄として特定の特別図柄（大当り図柄）が停止表示されれば、特定表示結果としての「大当り」となり、大当り図柄とは異なる所定の特別図柄（小当り図柄）が停止表示されれば、所定表示結果としての「小当り」となる。また、大当り図柄や小当り図柄とは異なる特別図柄が確定特別図柄として停止表示されれば「ハズレ」となる。
【００９５】
特図ゲームでの可変表示結果が「大当り」になった後には、遊技者にとって有利なラウンド（「ラウンド遊技」ともいう）を所定回数実行する特定遊技状態としての大当り遊技状態に制御される。特図ゲームでの可変表示結果が「小当り」になった後には、大当り遊技状態とは異なる特殊遊技状態としての小当り遊技状態に制御される。
【００９６】
画像表示装置５に設けられた「左」、「中」、「右」の飾り図柄表示エリア５Ｌ、５Ｃ、５Ｒでは、第１特別図柄表示装置４Ａにおける第１特図を用いた特図ゲームと、第２特別図柄表示装置４Ｂにおける第２特図を用いた特図ゲームとのうち、いずれかの特図ゲームが開始されることに対応して、飾り図柄の可変表示が開始される。そして、飾り図柄の可変表示が開始されてから「左」、「中」、「右」の各飾り図柄表示エリア５Ｌ、５Ｃ、５Ｒにおける確定飾り図柄の停止表示により可変表示が終了するまでの期間では、飾り図柄の可変表示状態が所定のリーチ状態となったり、このリーチ状態となったことに対応して、画像表示装置５における表示動作や、スピーカ８Ｌ、８Ｒによる音声出力動作、遊技効果ランプ９などの発光体における点灯動作（点滅動作）により、リーチ状態となる以前とは異なる演出動作が実行される。
【００９７】
この実施の形態では、リーチ演出が行われるときに、特図変動時演出制御パターンに従って第１演出可動機構５０や第２演出可動機構８０による演出動作が行われる。第１演出可動機構５０による演出動作としては、モータ６９Ａ、７９Ａを駆動制御することにより、第１装飾体６４や第３装飾体７５の回転を伴って装飾支持体６６、７６を進出方向や退出方向に移動させる。また、第２演出可動機構８０による演出動作としては、駆動機構８３を制御することにより、動作シンボル８１を上方の初期位置に位置させたり、動作シンボル８１の裏側に配置されている固定シンボル９０が現れるように動作シンボル８１を下降させたりする。
【００９８】
リーチ演出における第１演出可動機構５０や第２演出可動機構８０を用いた演出動作では、大当り期待度が高いリーチ演出のときほど、演出効果の高い演出動作が行われるように予め演出パターンを定めておいてもよい。例えば、ノーマルリーチ演出が行われるときには、第１演出可動機構５０だけを動作させ、スーパーリーチ演出が行われるときには、第１演出可動機構５０と第２演出可動機構８０との両方を動作させてもよい。
【００９９】
なお、第１演出可動機構５０や第２演出可動機構８０を用いた演出動作については、これらの例に限定されるものではなく、第１演出可動機構５０のモータ６９Ａ、７９Ａや、第２演出可動機構８０の駆動機構８３を駆動することによって実現できる種々の演出動作が採用されればよい。また、リーチ演出以外の演出において、第１演出可動機構５０や第２演出可動機構８０を用いた演出動作が行われてもよい。例えば、リーチ演出とは異なり、飾り図柄の可変表示状態がリーチ状態となる可能性があることや、可変表示結果が「大当り」となる可能性があることなどを、飾り図柄の可変表示態様などにより遊技者に報知するための可変表示演出において、第１演出可動機構５０や第２演出可動機構８０を用いた演出動作が行われてもよいし、飾り図柄の可変表示状態がリーチ状態となる可能性があることや、スーパーリーチによるリーチ演出が実行される可能性があること、可変表示結果が「大当り」となる可能性があることなどを、遊技者に予め報知するための予告演出において、第１演出可動機構５０や第２演出可動機構８０を用いた演出動作が行われてもよいし、大当り演出において、第１演出可動機構５０や第２演出可動機構８０を用いた演出動作が行われてもよい。また、第１演出可動機構５０を用いた演出動作では、モータ６９Ａ、７９Ａの回転速度が演出動作ごとに変更されてもよい。
【０１００】
この発明は、上記実施の形態に限定されず、様々な変形及び応用が可能である。例えば、パチンコ遊技機１では、上記実施の形態で示した全ての技術的特徴を備えるものでなくてもよく、従来技術における少なくとも１つの課題を解決できるように、上記実施の形態で説明した一部の構成を備えたものであってもよい。例えば、上述した実施の形態では、第１演出可動機構５０は、左側可動機構６０と右側可動機構７０とから構成されるものとしたが、左側可動機構６０と右側可動機構７０の一方だけで構成されてもよい。
【０１０１】
上述した実施の形態の左側可動機構６０では、装飾支持体６６の移動に伴って動作ギヤ６３が回転し、動作ギヤ６３の回転に伴って第１装飾体６４が回転するものとしたが、例えば図１５や図１６の変形例の可動機構１６０、２６０に示すように、動作ギヤ６３の回転に伴って装飾体が移動したり回動したりするなど、動作ギヤ６３の回転に伴って回転以外の動作が行われてもよい。図１５に示す変形例の可動機構１６０では、装飾支持体１６６が退出位置（右側）から進出位置（左側）に移動すると、動作ギヤ１６３が回転し、動作ギヤ１６３の回転に伴って第４装飾体１６５が装飾支持体１６６から進出方向側（左側）に突出するように構成されている。また、図１６に示す変形例の可動機構１６０Ｂでは、装飾支持体２６６が退出位置（右側）から進出位置（左側）に移動すると、動作ギヤ２６３が回転し、動作ギヤ２６３の回転に伴ってアーム２６５ａとともに第５装飾体２６５が下方から上方に回動するように構成されている。このような構成においても、上述した実施の形態と同様に、第４装飾体１６４や第５装飾体１６５とレール１６２、２６２と装飾支持体１６６、２６６を位置合わせして組み付けた状態で保持する図示しない可動機構カバーを備えることによって、組立作業を容易に行うことができる。
【０１０２】
上述した実施の形態の左側可動機構６０では、装飾支持体６６に可動機構カバー６７を取り付けることによって、レール６２と装飾支持体６６が組み付けられるものとしたが、可動機構カバー６７が２つ以上の部材で構成され、この２つ以上の部材を装飾支持体６６に取り付けることによってレール６２と装飾支持体６６が組み付けられてもよい。特に、動作ギヤ６３の回転に伴って動作する機構が２つ以上装飾支持体６６に設けられる場合、それぞれの機構ごとに位置合わせして保持できるように、可動機構カバーが複数の部材から構成されてもよい。
【０１０３】
上述した実施の形態の左側可動機構６０では、可動機構カバー６７のガイド部６７ａを、レール６２の溝部６２ｃに後方から嵌めて、レール６２を摺動可能に支持するものとしたが、可動機構カバー６７のガイド部６７ａに代えて、または加えて、後方に突出するガイド部が装飾支持体６６に形成されるとともにレール６２の前面に溝部が形成され、装飾支持体６６のガイド部がレール６２の前面の溝部に嵌められて、レール６２が摺動可能に支持されてもよい。
【０１０４】
上述した実施の形態の左側可動機構６０では、可動機構カバー６７は、レール６２を、装飾支持体６６と前方及び後方から挟むことで支持するものとしたが、例えば図１７に示すように、可動機構カバー３６７と装飾支持体３６６とに上下方向から挟まれてレール３６２が支持されてもよい。図１７に示す例では、レール３６２に、前方に突出する凸部３６２ａが形成されており、可動機構カバー３６７に、レール３６２の下端を収容する収容溝３６７ａが形成されている。そして、可動機構カバー３６７の収容溝３６７ａにレール３６２が収容されるように各々を配置して、可動機構カバー３６７と装飾支持体３６６とを固定することにより、レール３６２の凸部３６２ａが可動機構カバー３６７と装飾支持体３６６とに上下方向から挟まれてレール３６２が支持される。
【０１０５】
上述した実施の形態の左側可動機構６０では、左右方向に沿ってレール６２が取り付けられるものとしたが、装飾支持体６６がレール６２に沿って移動して動作ギヤ６３が回転するものであれば如何なる構成としてもよく、例えばレール６２を上下方向に沿って設けてもよい。
【０１０６】
上述した実施の形態の左側可動機構６０では、モータ６９Ａからの出力が駆動ギヤ６８を介して装飾支持体６６に伝達され、装飾支持体６６が移動するものとしたが、こうした構成に代えてまたは加えて、例えば伸縮して動力を出力する他のアクチュエータが用いられてもよい。また、上述した実施の形態では、装飾支持体６６は、直線状に移動するように構成されるものとしたが、こうした構成に限定されず、例えば装飾支持体６６がアームの先端に取付けられてアームの回動に伴って回動するように構成されていてもよい。この場合には、レール６２は、装飾支持体６６の回動に沿って動作ギヤ６３が回転するように、例えば円弧状に形成されればよい。
【０１０７】
上述した実施の形態では、第１演出可動機構５０は、遊技盤２に取り付けられてパチンコ遊技機１に搭載されるものとしたが、遊技機用枠３の所定位置に取り付けられてパチンコ遊技機１に搭載されてもよい。
【０１０８】
上述した実施の形態では、遊技機として、パチンコ遊技機１に、本発明を適用して説明したが、例えば、スロットマシンやゲーム機などに上述の第１演出可動機構５０が搭載されるなど、他の遊技機に本発明を適用してもよい。
【符号の説明】
【０１０９】
１  …  パチンコ遊技機
２  …  遊技盤
３  …  遊技機用枠
４Ａ、４Ｂ  …  特別図柄表示装置
５  …  表示装置
６Ａ  …  普通入賞球装置
６Ｂ  …  普通可変入賞球装置
７  …  特別可変入賞球装置
８Ｌ、８Ｒ  …  スピーカ
９  …  遊技効果ランプ
２０  …  普通図柄表示器
２６  …  通過ゲート
４０…内側フレーム
４１…ワープ入口
４２…一次出口
４３…減速板
４５…ステージ
４７…ワープ出口
４８…跳ね止め
５０…第１演出可動機構
６０…左側演出機構
６１…ベース体
６２…レール
６３…動作ギヤ
６４…第１装飾体
６６…装飾支持体
６７…可動機構ケース
６８…駆動ギヤ
６９Ａ…モータ
７０…右側演出機構
７１…ベース体
７２…レール
７３…動作ギヤ
７４…第２装飾体
７５…第３装飾体
７６…装飾支持体
７７…可動機構ケース
７８…駆動ギヤ
６９Ａ…モータ
８０…第２演出可動機構
８１…動作シンボル
８２…アーム
８３…駆動機構
８５…フレーム体
８６…ガイド機構
９０…固定シンボル
９０ａ…保護突起
１６０、２６０…可動機構
【図１】
0005603358.tif 000002
【図２】
0005603358.tif 000003
【図３】
0005603358.tif 000004
【図４】
0005603358.tif 000005
【図５】
0005603358.tif 000006
【図６】
0005603358.tif 000007
【図７】
0005603358.tif 000008
【図８】
0005603358.tif 000009
【図９】
0005603358.tif 000010
【図１０】
0005603358.tif 000011
【図１１】
0005603358.tif 000012
【図１２】
0005603358.tif 000013
【図１３】
0005603358.tif 000014
【図１４】
0005603358.tif 000015
【図１５】
0005603358.tif 000016
【図１６】
0005603358.tif 000017
【図１７】
0005603358.tif 000018